(57)【要約】【課題】サイドシートを備えた吸収性物品において、吸収性物品を長手方向に柔らかく曲げることができ、サイドシートの肌触りの低下が少なく、更にサイドシートによる吸収層の側縁部の防漏性に優れた吸収性物品を提供すること。【解決手段】液保持性の吸収層及び液不透過性の防漏層を備えた実質的に縦長の吸収性本体Ｃと、該吸収性本体Ｃの肌当接面側の両側縁部それぞれに沿って略全長に亘って設けられた左右一対のサイドシート５とを有する吸収性物品であって、前記サイドシート５に、曲線状のエンボスライン６１〜６３が長手方向に配置されて略波線形状のエンボスパターンＰが複数形成されており、長手方向に隣接する該エンボスパターンＰ，Ｐ間に、該エンボスパターンＰを構成する該エンボスライン６１〜６３とは異なる形状のエンボス模様が設けられている。【選択図】図１
2005323904.tif 000002
【特許請求の範囲】
【請求項１】
液保持性の吸収層及び液不透過性の防漏層を備えた実質的に縦長の吸収性本体と、該吸収性本体の肌当接面側の両側縁部それぞれに沿って略全長に亘って設けられた左右一対のサイドシートとを有する吸収性物品であって、
前記サイドシートに、曲線状のエンボスラインが長手方向に配置されて略波線形状のエンボスパターンが複数形成されており、長手方向に隣接する該エンボスパターン間に、該エンボスパターンを構成する該エンボスラインとは異なる形状のエンボス模様が設けられている吸収性物品。
【請求項２】
前記エンボス模様は、前記吸収性本体の排泄部当接領域の側部に形成されている請求項１記載の吸収性物品。
【請求項３】
前記エンボス模様は、長手方向に前後する前記エンボスパターンと長手方向に実質的に連続し、且つ該エンボス模様及び該エンボスパターンから前記サイドシートの長手方向の略全長に亘って連続して総合的エンボスパターンが形成されている請求項１記載の吸収性物品。
【請求項４】
前記エンボス模様は、非エンボス部の周囲に形成された包囲エンボスである請求項１記載の吸収性物品。
【請求項５】
前記略波線形状のエンボスパターンを構成する各前記エンボスラインは、平面視では連続せずに長手方向に重複する領域を有するように配置されている請求項１記載の吸収性物品。
【請求項６】
前記エンボス模様は、具象エンボスである請求項１記載の吸収性物品。
【請求項７】
前記具象エンボスは、長手方向に前後する前記エンボスパターンとは、前記サイドシートの長手方向に重複する領域を有していない請求項６記載の吸収性物品。
【発明の詳細な説明】
【技術分野】
【０００１】
本発明は、生理用ナプキン、パンティライナー、おりものシート、失禁パッド等の吸収性物品に関する。
【背景技術】
【０００２】
生理用ナプキン、パンティライナー、おりものシート、失禁パッド等の吸収性物品において、液保持性の吸収層及び液不透過性の防漏層を備えた実質的に縦長の吸収性本体の肌当接面側の両側縁部それぞれに、吸収層の側縁部の防漏性を向上させるために、左右一対のサイドシート（サイド不織布）が設けられたものが開示されている（例えば特許文献１参照）。
【０００３】
特許文献１記載の吸収性物品においては、サイド不織布及び防漏層である裏面シートが吸収性本体の両側縁部それぞれから幅方向に延出してウイング状フラップを形成している。そして、ショーツへの装着時においてウイング状フラップを外側に引っ張る際にウイング状フラップを構成するサイド不織布と裏面シートとが剥離するのを防止するために、吸収性本体の両側縁部において、裏面シートとサイド不織布とを長手方向に沿う直線状のヒートシールによって固着している。
【０００４】
また、特許文献２には、液透過性の表面材料層に長手方向に連続するまたは長手方向に向かって配列するエンボス圧縮部が形成され、エンボスパターンとして、長手方向に連続する波状の曲線エンボス、線状圧縮部が非圧縮部の周囲を連続して囲むリーフ状のパターン模様や小円形エンボス（点エンボス）が設けられた吸収性物品が開示されている。
【０００５】
【特許文献１】特開２００２−２７２７８６号公報
【特許文献２】特開２００４−４４６号公報
【発明の開示】
【発明が解決しようとする課題】
【０００６】
しかし、特許文献１記載の吸収性物品においては、サイド不織布に長手方向に沿う直線状に施されたヒートシール部があるため、サイド不織布を着用者の身体に沿って長手方向に湾曲させると、ヒートシール部に皺が入って剛直となり、滑らかに曲げることができない。またヒートシール部が硬く、肌触りが悪い。そして、サイドシートによる吸収層の側縁部の防漏性を更に向上させることが望まれている。
【０００７】
一方、特許文献２記載の吸収性物品においては、表面材料層に長手方向に連続する曲線のエンボス圧縮部が形成されているが、この吸収性物品は、パンティライナーを主眼とした発明であり、通常の吸収性物品では厚さ、全長、幅などが異なるために折り曲げ量が多くなったり、脚部付根に当たることにより複雑な曲げを要求されたり、さらに吸収容量を求められるのに対し、液止め効果と柔軟性とを十分に満足するものではない。
【０００８】
従って、本発明の目的は、サイドシートを備えた吸収性物品において、吸収性物品を長手方向に柔らかく曲げることができ、サイドシートの肌触りの低下が少なく、更にサイドシートによる吸収層の側縁部の防漏性に優れた吸収性物品を提供することにある。
【課題を解決するための手段】
【０００９】
本発明は、液保持性の吸収層及び液不透過性の防漏層を備えた実質的に縦長の吸収性本体と、該吸収性本体の肌当接面側の両側縁部それぞれに沿って略全長に亘って設けられた左右一対のサイドシートとを有する吸収性物品であって、前記サイドシートに、曲線状のエンボスラインが長手方向に配置されて略波線形状のエンボスパターンが複数形成されており、長手方向に隣接する該エンボスパターン間に、該エンボスパターンを構成する該エンボスラインとは異なる形状のエンボス模様が設けられている吸収性物品を提供することにより、上記目的を達成したものである。
【発明の効果】
【００１０】
本発明の吸収性物品によれば、サイドシートを備えた吸収性物品において、吸収性物品を長手方向に柔らかく曲げることができ、サイドシートの肌触りの低下が少なく、サイドシートによる吸収層の側縁部の防漏性に優れている。
【発明を実施するための最良の形態】
【００１１】
以下、本発明の吸収性物品を、その好ましい実施形態である生理用ナプキンについて図面を参照しながら説明する。
本実施形態の生理用ナプキンは、図１〜図３に示すように、液保持性の吸収層Ａ及び液不透過性の防漏層Ｂを備えた実質的に縦長の吸収性本体Ｃと、該吸収性本体Ｃの肌当接面側の両側縁部それぞれに沿って略全長に亘って設けられた左右一対のサイドシートと５を有する生理用ナプキン１であって、前記サイドシート５に、曲線状のエンボスライン６１〜６３が長手方向に配置されて略波線形状のエンボスパターンＰが複数形成されており、長手方向に隣接する該エンボスパターンＰ，Ｐ間に、該エンボスパターンＰを構成する該エンボスライン６１〜６３とは異なる形状のエンボス模様７１及び７２が設けられている。
【００１２】
更に詳述すると、本実施形態の生理用ナプキン１は、図２に示すように、液保持性の吸収層Ａ及び液不透過性の防漏層Ｂを備えている、吸収層Ａは、液透過性の表面シート２及び液保持性の吸収体４とからなり、防漏層Ｂは、液不透過性の裏面シート３からなる。吸収体４は、表面シート２と裏面シート３との間に介在されている。
表面シート２は、吸収体４の上面の全域を被覆しており、吸収体４の側縁から若干延出しているが、裏面シート３とは接触していない。裏面シート３は、吸収体４の下面の全域を被覆し、吸収体４の側縁から外方に延出している。図１及び図２に示すように、吸収層Ａ及び防漏層Ｂから実質的に縦長の吸収性本体Ｃが形成されている。
【００１３】
図１に示すように、吸収性本体Ｃの肌当接面側の両側縁部それぞれには、左右一対のサイドシート５，５が、該両側縁部に沿って略全長に亘って設けられている。また、吸収性本体Ｃの排泄部対向部の位置における両側縁部それぞれには、一対のウイングＤが設けられている。ウイングＤは、図２（ａ）に示すように、裏面シート３における外方部分及びサイドシート５における外方部分５Ｃから形成されている。
裏面シート３とサイドシート５とは、図１及び図２に示すように、吸収性本体Ｃの両側縁及びウイングＤの周縁において接合されてサイドシール部Ｅを形成している。また、表面シート２と裏面シート３とは、図１に示すように、それぞれ吸収体４の前後端から延出し、その延出部分において接合されてエンドシール部Ｆを形成している。
【００１４】
裏面シート３とサイドシート５とは、図２に示すように、吸収性本体Ｃにおける両側縁近傍の領域及びウイングＤの領域において接着剤（図示せず）によっても接合されている。また、サイドシート５は、幅方向内方において吸収体４の上方に位置まで配され、そこで幅方向外方に向けて且つ表面シート２に当接するように折り返され、裏面シート３に当接している。ここで、サイドシート５における折り返された部分５Ａと５Ｂとの間、サイドシート５と裏面シート３との当接部分及びサイドシート５と表面シート２との当接部分についても接着剤により接合されている。サイドシート５における折り返された部分５Ａと５Ｂとは、エンボスライン６１〜６３、エンボス模様でもある具像エンボス７１〜７７（後述）によるシールによっても接合されている。
【００１５】
本実施形態の生理用ナプキン１は、吸収性本体ＣおよびウイングＤの非肌当設面に設けられたホットメルト粘着剤（図示せず）により、下着に固定して装着される。
【００１６】
サイドシート５には、図１及び図３に示すように、エンボスライン６１〜６３が組み合わされた略波線形状のエンボスパターンＰおよび閉鎖エンボス（後述）あるいは具象エンボスが組み合わされた総合的エンボスパターンが、その長手方向に占める割合がサイドシート５の長手方向全長の５０％以上に亘るように設けられている。
「長手方向全長の５０％以上」とは、必ずしも１個のエンボスラインあるいはエンボスパターンＰ、閉鎖エンボス、具象エンボスのみで長手方向全長の５０％以上に亘っていなくてもよく、本実施形態においては、複数個のエンボスラインが組み合わされたエンボスパターンＰおよび閉鎖エンボスあるいは具象エンボスが組み合わされた総合的エンボスパターンの長手方向に沿う長さの総計がサイドシート５の長手方向全長の５０％以上となっている。８０％以上であると、防漏性が向上し、更に好ましい。
【００１７】
また、「略波線形状」とは、全体として波線形状を有していれば、必ずしも同じ振幅、波長でなくてもよく、つまり曲線が織り成す波状の形状を指し示している。本実施形態においては、エンボスライン６１〜６３が組み合わされた略波線形状のエンボスパターンＰは、図３に示すように、平面視でサイドシート５の長手方向に不連続な複数個のエンボスライン６１、６２及び６３が、サイドシート５の長手方向に実質的に連続するように配置されることにより形成されている。尚、それぞれのエンボスラインの波線形状は同一である必要はない。
【００１８】
「長手方向に実質的に連続する」とは、平面視で実際に連続している場合のみならず、平面視では連続していないが近接し、平面視で、長手方向に直交する（幅方向に延びる）仮想直線を長手方向に移動させる際に必ず曲線状のエンボスラインを横切る場合も含む。このように曲線状のエンボスラインが実質的に長手方向に連続することによって、生理用ナプキンは、その横方向の防漏性を有する。後述する「長手方向に重複する領域を有する」も同様の意味である。
【００１９】
詳述すると、エンボスライン６１〜６３は、図３に示すように、サイドシート５の長手方向に沿う直線を２箇所以上横切る形状、具体的には略Ｓ字形状を有しており、直線部分を含んでいない。
略波線形状のエンボスパターンＰを構成する各エンボスライン６１〜６３は、平面視で連続せず長手方向に重複する領域を有するように配置されている。詳細には、平面視では、エンボスライン６１とエンボスライン６２とは僅かに交差して平面視で連続しているが、エンボスライン６２とエンボスライン６３とは連続していない。しかし、エンボスライン６１とエンボスライン６２とはそれらの長さの約３分の１が長手方向に重複しており、エンボスライン６２とエンボスライン６３とはそれらの端部近傍が重複している。即ち、エンボスライン６１、６２及び６３が長手方向に実質的に連続して、サイドシート５の全長の約２分の１に亘るエンボスパターンＰを形成している。
【００２０】
エンボスパターンＰを形成する各エンボスライン６１、６２及び６３は、その両端部それぞれに向かって徐々に細くなっている。
エンボスライン６１〜６３から構成されるエンボスパターンＰのうち最内部に位置する部位は、サイドシート５の内側縁５Ｄ（図２参照）から幅方向に１０ｍｍ以内に含まれるように配置されることが好ましく、また吸収性本体Ｃの幅方向に沿う幅が３ｍｍ以上であることが好ましい。
【００２１】
図１及び図３に示すように、エンボス模様である閉鎖エンボス７１及び７２は、吸収性本体Ｃの排泄部当接領域（着用者の排泄部に当接する領域）の側部に形成されている。また、エンボス模様である閉鎖エンボス７１及び７２は、長手方向に前後するエンボスパターンＰ，Ｐと、長手方向に実質的に連続している。エンボス模様及びエンボスパターンＰにおいて、「長手方向に実質的に連続する」とは、エンボス模様とエンボスパターンＰがその長手方向端部付近で重なって平面視で実際に連続している場合のみならず、平面視では連続していないが近接し、平面視で、長手方向に直交する（幅方向に延びる）仮想直線を長手方向に移動させる際に必ずエンボス模様又はエンボスパターンＰを横切る場合も含む。つまり、エンボス模様とエンボスパターンＰとは、サイドシート５の長手方向に重複する領域を有しており、それにより、エンボス模様とエンボスパターンＰとは、長手方向に実質的に連続し、且つエンボス模様及びエンボスパターンＰからサイドシート５の長手方向の略全長に亘って連続して総合的エンボスパターンが形成されている。
【００２２】
詳細には、サイドシート５における平面視で長手方向にエンボスパターンＰが連続していない領域Ｔには、前記エンボス模様として、該領域Ｔを埋めて閉鎖するための形状を有する閉鎖エンボス７１、７２が設けられている。閉鎖エンボスは、略波線形状のエンボスパターンＰが長手方向に間欠しないように（長手方向に実質的に連続するように）、閉じた領域を形成するエンボスであり、閉鎖エンボス自体も長手方向に間欠しないエンボスパターンである。閉鎖エンボス７１は、花びら形状のエンボスパターンで、６個の分割されたエンボスユニットが集合して花柄の閉鎖エンボス群を形成している。閉鎖エンボス７２は、二股の葉っぱ形状のエンボスパターンである。
【００２３】
これらの閉鎖エンボス７１、７２は、曲線形状で構成することで、サイドシート５に大きなうねりの皺を発生させにくくして肌触りを低下させにくくしている。本実施形態においての大きな花びら形状および二股の葉っぱ形状のエンボスパターンは、具象エンボスとしても機能している。
具象エンボスは、植物、動物、星などの意味のある模様を図柄化したものであり、エンボスの外周を曲線で表すことができる。そのため、吸収性物品が折り曲げられる際に発生する皺が具象エンボスの外周曲線にぶつかり細かく分散させるために、サイドシートが柔軟に曲げられ、さらに柔らかい表面にすることができる。
【００２４】
更に、具象エンボスによれば、単に防漏性を向上させるばかりでなく、防漏性の向上と見た目にも柔らかい視的効果とを両立することが可能である。具象エンボスは、花びら形状のように分割して構成することにより柔軟性を得やすく、その形状の浮き上がりもよくなり視認性を高めることができる。
更にまた、略波線形状のエンボスパターンが構成する長手方向への流れ形状を遮って具象エンボスを配すると、具象エンボスに視点を集めやすく、具象エンボスにより快適感などのイメージを使用者に与えやすくすることができる。隣接する略波線形状のエンボスパターンより単位長手方向距離あたりに占める線密度を高くすることにより、具象エンボスに誘導される皺を分散しやすくすることができ、細かな柔らかい皺とすることにより肌触りを低下させにくくすることができる。このように、線密度を高くすると、発生する皺の数が増え、隣接する略波線形状のエンボスパターン付近から発生する皺と干渉しやすくなり皺の発生を抑えやすくなり好ましい。
【００２５】
また、吸収性物品の種類によって具象エンボスの形状等を変えることにより、吸収性物品の種類を認識しやすくなり、一度でも使用すれば使用後の状態と具象エンボスの関係が記憶に残りやすく、生理期間のどの時期に使用すれば適切かを簡単に経験として導き出すことが可能である。すなわち各個人で大きく異なる生理状況に合致した吸収性物品の選択がしやすくなる。
花柄などの具象エンボスにおいては、エンボスの外周において外周曲線の折り返しが多いためにエンボス自体に皺が入らず、エンボス以外のサイドシート部分に皺が入るようなり、略波線形状のエンボスパターンと組合せることにより略波線形状のエンボスパターン近傍で発生する皺を分散し、さらに干渉し難く柔軟性が阻害されにくくすることができる。
【００２６】
具象エンボスは、略波線形状のエンボスパターンに対して断面方向に凹形状の凹状部を有することが好ましく、そうすることにより、略波線形状のエンボスパターンから発生した皺が具象エンボスに接する際に具象エンボスの有する凹状部に皺を取り込んで分散させるために大きな皺になり難く、肌触りを低下させにくい効果も得られる。
【００２７】
本実施形態においては、閉鎖エンボス７１，７２を介して、長手方向に隣接するエンボスパターンＰ、Ｐが長手方向に実質的に連続し、エンボスパターンＰ及び閉鎖エンボス（具像エンボス）７１，７２からサイドシート５の長手方向全長に亘って実質的に連続するエンボスパターンが形成されている。
サイドシート５には、さらに防漏性を向上させる工夫として、図３に示すように前記閉鎖エンボス７１、７２の他にも、エンボスパターンＰに幅方向に隣接して、具象エンボス７３〜７７及びその他のエンボスが設けられている。このように平面視で非連続でかつ長手方向に実質的に連続になるようにエンボスを配列させることにより、吸収性物品において、吸収性物品を長手方向に柔らかく曲げることができ、サイドシートの肌触りの低下が少なく、サイドシートによる吸収層の側縁部の防漏性に優れたものとすることができる。
【００２８】
表面シートとしては特に制限はなく、本実施形態においては親水性不織布が用いられている。裏面シートとしては特に制限はなく、本実施形態においては防漏性のフィルムシートが用いられている。吸収体としては公知のものが用いられている。サイドシートとしては、不織布やフィルムシート、紙等が挙げられ、防漏性の観点から液不透過性又は難透過性である疎水性不織布、防漏性のフィルムシート等が好ましく用いられ、本実施形態においては疎水性不織布が用いられている。サイドシートは一枚でも良いし、さらに防漏性を高めるために２枚以上を組合せてもよい。防漏性を高めるエンボスは２枚以上のシートに対して重ね合わせて施しても良いし、どれか一部の層のみに施しても良い。
【００２９】
エンボスライン６１〜６３及び閉鎖エンボス７１〜７２、具象エンボス７３〜７７の形成方法には特に制限はなく、本実施形態においてはヒートシールにより曲線状に形成されている。
エンボスライン６１〜６３又は閉鎖エンボス（具像エンボス）７１〜７２、具象エンボス７３〜７７は、非エンボス部の周囲に形成された包囲エンボスであると好ましく、具体的にエンボスライン６１で代表して説明すると、図４に示すように、その周縁部分に深く凹んだ深エンボス部６１Ａが形成され、該深エンボス部６１Ａの内側部分に該深エンボス部６１Ａよりも浅く凹んだ浅エンボス部６１Ｂが形成されていることが好ましい。深エンボス部６１Ａは、素材厚みの２０％以下（ｔ１／ｔ０）に圧縮された部位で、浅エンボス部６１Ｂは、素材厚みの１０〜８０％（ｔ２／ｔ０）に圧縮された部位（ただしｔ２＜ｔ１）である。
【００３０】
本実施形態においては、図３に示すように、サイドシート５の素材として長尺素材Ｕを用いている。この長尺素材Ｕは、その幅が完成状態の生理用ナプキン１におけるサイドシート５の幅と同じになっており、エンボスパターンＰ（エンボスライン６１〜６３）及び閉鎖エンボス７１〜７２、具象エンボス７３〜７７が周期的に（１周期Ｓ）予め形成されている。
この長尺部材Ｕを吸収性本体Ｃの両側縁部にそれぞれ接着剤を用いて接合し、前後端部を所定形状に整形し、エンドシール部Ｆを形成することにより、吸収性本体Ｃの両側縁部にエンボスパターンＰが施されたサイドシール５が設けられた生理用ナプキン１が容易に得られる。
【００３１】
本実施形態の生理用ナプキン１においては、サイドシート５に、曲線状のエンボスライン６１〜６３が長手方向に配置されて略波線形状のエンボスパターンＰが複数形成されており、長手方向に隣接するエンボスパターンＰ，Ｐ間に、エンボスパターンＰを構成するエンボスライン６１〜６３とは異なる形状のエンボス模様７１及び７２が設けられているため、吸収性物品を長手方向に柔らかく曲げることができ、サイドシート５の肌触りの低下が少なく、サイドシート５による吸収層の側縁部の防漏性に優れている。
特に、エンボス模様７１及び７２が吸収性本体Ｃの排泄部当接領域の側部に形成されているため、曲がり易さの求められる排泄部当接領域での曲がり易さに優れ、エンボス模様７１及び７２によって排泄部との位置あわせが容易である。
【００３２】
前記エンボス模様は、長手方向に前後するエンボスパターンＰと、サイドシート５の長手方向に重複する領域を有しており、それにより、該エンボス模様と該エンボスパターンＰとは、長手方向に実質的に連続し、且つ該エンボス模様及び該エンボスパターンＰからサイドシート５の長手方向の略全長に亘って連続して総合的エンボスパターンが形成されている。そのため、不織布からなるサイドシート５自体を伝わる液体の伝搬がエンボスパターンＰのシール部で止められ、サイドシート５の上面を伝わる液体の伝搬がエンボスパターンＰの凹みで止められるため、サイドシート５による吸収層の側縁部の防漏性が優れている。
また、生理用ナプキン１を長手方向に曲げようとしたときに、エンボス自体が皺になり難いため該長手方向の曲げ抵抗が働き難く、柔らかく曲げることができる。更に、サイドシート５には、エンボスパターンＰが略波線形状に形成されており、エンボス以外の部分に皺が形成され易いため、エンボス自体に硬い皺ができ難くて柔らかい皺が多く、肌触りが低下し難い。
【００３３】
エンボスライン６１〜６３が両端部に向かって徐々に細くなっている形状を有していると、両端部の細い部分で折れ曲がるため太い部分が隆起し難く、柔軟性が低下し難い。平面視で長手方向にエンボスパターンＰが連続してしない領域においても、閉鎖エンボス７１、７２を介して、隣接するエンボスパターンＰが連結している（長手方向に実質的に連続している）ため、サイドシート５による吸収層の側縁部の防漏効果が十分に得られる。
閉鎖エンボス及び具象エンボスが設けられた領域においては、エンボス部分は隆起せず、閉鎖された領域が柔らかく盛り上がるため、柔軟性をさほど低下させることなく、エンボスによる液体の伝搬防止効果を得られる。
【００３４】
本発明の吸収性物品は、前記実施形態に制限されることなく、本発明の趣旨を逸脱しない限り、適宜変更が可能である。
本発明の吸収性物品は、生理用ナプキン以外に、パンティライナー、おりものシート、失禁パッド等にも適用することができる。特に２ｍｍ以上の厚さを有する吸収性物品、１５０ｍｍ以上の長さを有する吸収性物品、５０ｍｍ以上の幅を有する吸収性物品において良好に適用することができる。
エンボスパターンにおいては、防漏性と柔軟性を達成する方法として端部を３つ以上に増やした略波線形状のエンボスラインを組み入れる事ができる。このようなラインを選定することにより吸収性物品の横手方向に対するエンボス領域を増やすことができ、吸収性物品の長手方向に対する折り曲げ性とサイドシートの肌触り性を低下させることなしに防漏性を向上させることができる。またエンボスパターンは、変曲点が１個のエンボスラインを複数個配置させて形成することもできる。
【００３５】
エンボスライン、具象エンボス又は閉鎖エンボスは、スポット状のエンボスを互いに隣接するように設け、全体として曲線状に形成することができる。
エンボスライン、具象エンボス又は閉鎖エンボスにより、サイドシートと表面シートとを接合することもできる。
また、エンボスライン、具象エンボス又は閉鎖エンボスに中抜きエンボスを採用する場合には、深エンボス部ではサイドシート５の折り返し部分５Ａと５Ｂとを接合し、浅エンボス部ではサイドシート５同士を接合しない範囲で圧縮加工を行うようにしてもよい。このような接合形態によれば、良好な接合強度が得られると共に、接合一体化された部位（深エンボス部）と、防漏効果が期待できる程度に圧縮加工された部位（浅エンボス部位）とにより良好な防漏性が得られ、しかも硬くなりやすい接合部を少なくすることでき、柔軟性を併せ持つことができる。
【００３６】
サイドシート５における平面視で長手方向にエンボスパターンＰが連続していない領域Ｔに具象エンボスを設ける態様は、図１に示す態様に制限されない。
図５に示す具象エンボス８１は、略波線形状のエンボスパターンＰと隣接するように（長手方向に間欠的に）設けられた巻貝形状のエンボスで、平面視においても隔離された領域を形成するエンボスである。
【００３７】
図６に示す具象エンボス８２は、蝶形状のエンボスで、長手方向に前後するエンボスパターンＰとは、サイドシート５の長手方向に重複する領域を有していないエンボスで、詳細には、略波線形状のエンボスパターンＰが長手方向に実質的に間欠しないように形成されている場合に、平面視で隔離された平面領域を形成するエンボスである。このように具象エンボス８２を配置することによって、サイドシート５の皺の発生を抑えやすく、装着感の低下や液防漏性の低下を防ぐだけでなく、略波線形状のエンボスパターンＰとは平面視において隔離されているため、具象エンボス８２の視認性が高まり、使用者に好印象を与えることができる。
【００３８】
表面シートの裏面側に更に別のセカンドシートを配することもできる。その場合には、表面シート、サイドシート及びセカンドシートの内の何れか２つのシートを接合すればよい。
エンボスパターンには、連続的又は断続的な直線状の部分があってもよい。その場合には、折り曲げ易さの効果を充分に得るために、該直線状の部分（断続的な場合はその総計）をサイドシートの長手方向全長の５０％以下又は５ｃｍ以下とすることが好ましい。
サイドシート５の内側縁５Ｄに弾性体を配置して、該内側縁５Ｄにギャザーを形成することもできる。
【図面の簡単な説明】
【００３９】
【図１】図１は、本実施形態の吸収性物品を示す平面図である。
【図２】図２（ａ）は図１に示すIIＡ−IIＡ断面図、図２（ｂ）は図１に示すIIＢ−IIＢ断面図である。
【図３】図３は、図１に示す実施形態の吸収性物品におけるエンボスパターン及び閉鎖エンボス、具象エンボスを示す拡大図である。
【図４】図４は、中抜きエンボスを模式的に示す断面図である。
【図５】図５は、具象エンボスの一例を示す拡大図である。
【図６】図６は、具象エンボスの別の例を示す拡大図である。
【符号の説明】
【００４０】
１  生理用ナプキン（吸収性物品）
２  表面シート
３  裏面シート
４  吸収体
５  サイドシート
６１、６２、６３  エンボスライン
７１、７２  閉鎖エンボス（具象エンボス）
７３、７４、７５、７６、７７  具象エンボス
Ａ  吸収層
Ｂ  防漏層
Ｃ  吸収性本体
Ｄ  ウイング
Ｅ  サイドシール部
Ｆ  エンドシール部
Ｐ  エンボスパターン
【図１】
2005323904.tif 000003
【図２】
2005323904.tif 000004
【図３】
2005323904.tif 000005
【図４】
2005323904.tif 000006
【図５】
2005323904.tif 000007
【図６】
2005323904.tif 000008